(57)【要約】      （修正有）【課題】パソコンの使用後にカバーを掛けるのではなく常時掛けておける物品であって十分な通気性を有するパソコンカバーを提供する。【解決手段】長方形状の穴開き和紙製の本体部３と、この本体部３の中央部から前方に延びる長方形状の前面部５と、を有し、本体部３は両側の側面部７，７と、この側面部７，７の間の上面部９とを一体的に有していて、上面部９はパソコン本体の上面に対応し、側面部７，７は、パソコン本体の側面をおおうように、上面から折れ曲がって垂れ下がり、前面部５はパソコン本体の前面をおおうように上面部９から折れ曲がって垂れ下がるように構成されている。【選択図】図１
0003190395.tif 000002
【実用新案登録請求の範囲】
【請求項１】
パソコンカバ−であって、長方形状の穴開き和紙製の本体部と、この本体部の中央部から前方に延びる長方形状の前面部と、を有し、本体部は両側の側面部と、この側面部の間の上面部とを一体的に有していて、前記上面部はパソコン本体の上面に対応し、前記側面部は、パソコン本体の側面をおおうように、前記上面から折れ曲がって垂れ下がり、前記前面部はパソコン本体の前面をおおうように前記上面部から折れ曲がって垂れ下がるように構成されているパソコンカバ−。
【請求項２】
前記上面部の裏面には着脱自在の粘着テ−プが装着され、上面部でパソコン本体の上面をおおったときにパソコン本体よりずり落ちる事を防止したことを特徴とする請求項１記載のパソコンカバ−。
【請求項３】
前記側面部 又は 前面部の下端に錘としての縁取りテ−プを付けたことを特徴とする請求項１又は２記載のパソコンカバ−。
【請求項４】
左右両側面部の下端に設けた縁取りテ−プ内に錘としてのワイヤ−を装着したことを特徴とする請求項１、２又は３記載のパソコンカバ−。
【考案の詳細な説明】
【技術分野】
【０００１】
本考案は、熱のこもらないパソコン本体用埃よけカバ−に関する。
【背景技術】
【０００２】
パソコンは、埃が大敵であるというのは周知のことであるが、良くて使用後にカバ−を掛ける位が一般的であろう（例えば特許文献1参照）。
【０００３】
パソコンは、使用中に通気孔から外気を吸込み放熱する仕組になっているので、埃を本体外部や内部に吸い付け、それがパソコン機能の負担になっている。従って埃からパソコンを十分に保護するためには使用後だけでなく、使用中もできるだけカバ−で覆っておくことが好ましい。
【先行技術文献】
【特許文献】
【０００４】
【特許文献１】実用新案登録第3070006号公報
【考案の概要】
【考案が解決しようとする課題】
【０００５】
使用後に掛けるカバ−は単純な袋状の物か、１枚のふろしき状の物が多くパソコンの使用中に掛けておくには難がある。又、パソコンは使用中に放熱があるのでカバ−は十分な通気性を有していなければならない。そこで本考案は、パソコンの使用後にカバ−を掛けるのではなく常時掛けておける物品であって十分な通気性を有するものを提供することを目的とする。
【課題を解決するための手段】
【０００６】
この目的を達成するために本考案であるカバ−は、素材に本来通気性に優れている和紙の特性に加え、穴開き和紙を用いることにより通気性がより良く、熱がこもらない物品を提供することが出来る。
穴開き和紙とは、手漉きの和紙を漉いた状態の原材料の上に水を撒くことで小さな穴を開けるという伝統的な技法で作られる落水紙というものであり、穴の廻りには和紙特有の繊維が出ていることで防塵機能に優れるとともに、十分な放熱性を有している。またこのカバ−はパソコン本体の天板を覆う上面部と、パソコン本体の両側面を覆うようにこの上面部の両側に接結又は連結された側面部とパソコン本体の前面を覆うように上面部の前側に接結又は連結された前面部とをなしている。前面部の両側は側面部とは接続されていない。
このカバ−は、ラインが接続されるパソコン本体の後面を覆う部分を有していない。また、前面部は必要に応じて上面にまくり上げることが出来るので、パソコン本体の前面部に接続されたライン上の邪魔にならない。したがって、カバ−は使用後だけでなく使用中も掛けた状態にしておくことができる。
カバ−の上面部と側面部との境界及び上面部と前面部との境界には、縁取りテ−プを取り付けておくことが好ましい。縁取りテ−プによりカバ−はパソコン本体の形状に一致したように容易に折れ曲がることとなる。
カバ−の内面には、カバ−がパソコン本体からずれ落ちないように、パソコン本体に接着する粘着部を設けておくことができる。粘着部は両面テ−プで構成することが可能であり、パソコンから自在に取り外すことが出来るのが好ましい。
カバ−の前面部及び側面部の下側には錘を設けておくことが出来る。錘は前面部及び側面部の下縁部に通されたワイヤ−とすることができる。
【考案の効果】
【０００７】
上述の様に、穴開き和紙を使用することにより、パソコン本体とカバ−との間に熱がこもるのを防止できると共に、このカバ−はパソコン本体の通気孔のフィルタ−の役目もはたす。後部を解放することにより、パソコンの熱を排出し前部は必要な時だけ上に巻き上げるのでほぼ常時カバ−を掛けている状態である。滑り止めのための粘着テ−プを用いれば、繰り返し付け外しが出来る為、カバ−をはずしてパソコン本体を掃除および、装置の増設・交換をすることが出来る。
【図面の簡単な説明】
【０００８】
【図１】本考案の、第１のパソコンカバ−の展開図である。
【図２】図１の A−A線の部分断面拡大図である。
【図３】図１の B−B線の部分断面拡大図である。
【図４】本考案の第２のパソコンカバ−に縁取りテ−プ及びワイヤ−を付けた場          合の展開図である。
【図５】図４の A−A線の部分断面拡大図である。
【図６】上面部、右側面部及び左側面部をそれぞれを切り離した場合の、          図４のA−A線部分断面拡大図である。
【図７】第１のパソコンカバ−をパソコン本体に装着した状態を示す前方斜視図          である
【図８】第２のパソコンカバ−をパソコン本体に装着した状態を示す前方斜視図          である
【考案を実施するための形態】
【０００９】
以下、添付図面の図１及至図３を参照して本考案に係る第１のパソコンカバ−の構成を説明する。
【実施例】
【００１０】
パソコンカバ−１（第１のパソコンカバ−）は穴開き和紙製であり、長方形状の本体部３と、この本体部３の中央部から前方に延びる長方形状の前面部５とを有している。本体部３は一枚の穴開き和紙から形成され、両側の側面部７，７と、この側面部７，７の間の上面部９とを一体的に有していて、本体部３の周縁には折り返し部分１１が形成されている。側面部７と上面部９との間には折り畳み部１３が形成されていて、一方の折り畳み部１３の外縁１５と他方の折り畳み部１３の外縁１５までの部分が上面部９を画成している。
【００１１】
前面部５は一枚の穴開き和紙から形成されている。前面部５の周縁には折り返し部１７が形成され、前面部５の幅は上面部９の幅と同一又はほぼ同一となり、前面部５の周縁の折り返し部１７の幅は本体部３の折り畳み部１３の幅と同一又はほぼ同一なっている。前面部５は後端部が上面部９の前端部裏面に接着されることにより本体部３から突出して延びるように形成されている。
【００１２】
本体部３の折り畳み部１３の裏面にはそれぞれ、後方側に粘着テ−プ１９、１９が固定され、又、本体部３の前側の折り返し部１１の裏面には両側に粘着テ−プ２１、２１が固定され、さらに前面部５の後側の折返し部１７の裏面には両側に粘着テ−プ２３，２３が固定されている。
【００１３】
本体部３は、折り畳み部１３の外縁１５で、すなわち上面部９と側面部７との境界で容易に折れ曲がり、また、前面部５の後端部で、すなわち前面部５と本体部３との境界で容易に折れ曲がる。
【００１４】
図４ 及至 図６を参照して本考案に係るパソコンカバ−の別の構成を説明する。
【００１５】
別のパソコンカバ−２５（第２のパソコンカバ−）は、パソコンカバ−１に錘としてのワイヤ−を縁取りテ−プを用いて設けたものであり、その他の構成は第１のパソコンカバ−１と同一なので同一の符号を付して説明を省略する。
パソコンカバ−２５では、上面部９ 及び 左右両側面７の全周にわたって縁取りテ−プ２７が取り付けられ、側面部７，７の下端 及び 前面部５の下端の縁取りテ−プ２７内には、それぞれ錘としてのワイヤ−２９が通されている。
【００１６】
次に、パソコンカバ−１，２５の使用方法を説明する。
【００１７】
パソコンカバ−１，２５の前面部５の、裏面に固定されている粘着テ−プ２３をパソコン本体の天板前縁に合わせて接着し、次に粘着テ−プ１９をパソコンの天板後側に接着する。次に側面部７、前面部５を下にたらして、側面部７の裏面に固定されている粘着テ−プ２１をパソコンの両側面前縁に接着する。
【符号の説明】
【００１８】
１、２５                パソコンカバ−
１９，２１，２３        粘着テ−プ
２７                    縁取りテ−プ
２９                    ワイヤ−
３１                    パソコン本体
【図１】
0003190395.tif 000003
【図２】
0003190395.tif 000004
【図３】
0003190395.tif 000005
【図４】
0003190395.tif 000006
【図５】
0003190395.tif 000007
【図６】
0003190395.tif 000008
【図７】
0003190395.tif 000009
【図８】
0003190395.tif 000010